(57)【要約】      （修正有）【課題】ゴルフ等に使用される吹流しを旗竿に取り付ける方法において、吹流しが回転したときに紐が絡んだり、切れたりしない取付方法を提供する。【解決手段】旗竿の先から挿入する円筒管３の上下端部に取り付けられたサドル７に剛性を有する一対の支持具５を固着させ、支持具によって形成された楕円形の口に吹流しを取り付けた。【選択図】  図１
2005165310.tif 000002
【特許請求の範囲】
【請求項１】
旗竿の先端部に吹流し口を取り付けるための装置であって、旗竿の先から挿入する円筒管と該円筒管の上下端部に取り付けられる、一対のサドルと該一対のサドル間に剛性を有する一対の支持体が固着され、下方の前記サドルが上方にスライド固定可能としたことを特徴とする吹流し取り付け装置。
【発明の詳細な説明】
【技術分野】
【０００１】
この発明はゴルフ等に用いる吹流しを旗竿に取り付けるための装置に関する。
【背景技術】
【０００２】
従来のゴルフ等に用いる吹流しを旗竿に取り付けるには、図１３に示すように吹流し１９の口に設けた取り付け部を旗竿１に紐２０で結ぶのが一般的である。
【発明の開示】
【発明が解決しようとする課題】
【０００３】
ところが従来技術によれば、吹流しが回転し、紐が切れたり、絡んだりして良く棚引くことが出来なかった。そこで、この発明は吹流しが良く棚引くことが出来る、吹流し取り付け装置を提供することを課題とする。
【課題を解決するための手段】
【０００４】
この発明は旗竿の先から挿入する円筒管と該円筒管の上下端部に取り付けられる、一対のサドルと該一対のサドル間に剛性を有する一対の支持体が固着され、下方の前記サドルが上方にスライド固定可能とした吹流し取り付け装置に係る。
【発明の効果】
【０００５】
この発明によれば吹流しの口部分を形成する支持具によって、吹流しの口が開くように旗竿に取り付けるため、吹流しが絡むことなく良く棚引く。なお、本発明の吹流し取り付け装置はグリーン上以外のゴルフコース内やゴルフ場以外に設置される、吹流しにも使用出来る。
【実施例１】
【０００６】
図１はこの発明の実施形態となる実施例を示す。旗竿１の材質はアルミニュウムや合成樹脂または木製である。直径は１０ｍｍから１９ｍｍ、長さは２１３０ｍｍから２３００ｍｍ程度のものが一般的である。この実施例では旗竿１の直径が１２ｍｍの旗竿１を用いた。円筒管３は旗竿１の先端から挿入される。円筒管３の内径は旗竿１の直径より大きくなっていて、隙間が確保出来るため、吹流し２の回転と共に円筒管３は自在に回転する。また、円筒管３の下部内面には、図３に示すように、この実施例では離脱防止片1６が固着されている。さらに円筒管３の先端にはキャップ４が固定される。固定する例としては、円筒管３の先端部にオスネジ８を施し、キャップ４に施されたメスネジ９とネジ付けて固定する。このキャップ４は円筒管３が旗竿１の先端部から落下するのを防止すると共に雨水の浸入するのを防ぐために用いる。円筒管３とキャップ４及び離脱防止片１６の材質はアルミニュウムや合成樹脂製である。
【０００７】
円筒管３の上部と下部には一対の支持具５を固着させるための一対のサドル７をボルト６で固着する。ボルト６はアルミニュウムや合成樹脂製である。サドル７は図６に示すようにボルト穴１０が施され、図９に示すように支持体５に設けたボルト穴１３と重ねて円筒管３に固着する。サドル７の材質はアルミニュウムや合成樹脂製である。支持体５はこの実施例では方形としたが棒状のものでも良い。材質は剛性を有する鋼板やピアノ線または合成樹脂製である。
【０００８】
円筒管３はキャップ４と固着され、旗竿１の下方への落下は防止出来たが、ゴルフのプレー中、グリーン上のホールから旗竿１を抜いて逆さまにしたときや、吹流し２が風で煽られて、旗竿１から円筒管３が抜けることがあるため、図８A、Bに示すような、離脱防止の装置を設ける。すなわち、ストッパーリング１４は旗竿１の周りに金属製のビス１５で締め付けて固定する。ストッパーリング１４はリング状で硬性ゴムや金属製である。この実施例として旗竿１の直径が１２ｍｍ、円筒管３の内径が２０ｍｍ、離脱防止片16の高さが３ｍｍ、そしてストッパーリングの外径が１８ｍｍとしたとき、図８で示すように、円筒管３の内面と旗竿１に取り付けられたストッパーリング１４の間隔Ｘは、2X＝２０−１８＝２ｍｍでXの寸法は１ｍｍとなる。また、円筒管３に固着された２個の離脱防止片１６と旗竿１の間隔Yは、2Y＝２０−（３+３）−１２＝２ｍｍでYの寸法は１ｍｍとなり間隔が確保出来るので、円筒管３はグリーン上のホール内に固定された旗竿１に関係なく、自在に回転出来る。また、ストッパーリング１４と離脱防止片１６が重なり合う部分Zは、2Z＝１８−（１２+１+１）＝４ｍｍで、Zの寸法は２ｍｍとなる。これにより旗竿１を逆さまにしたときや吹流し２が風に煽られたときなど離脱防止片１６とストッパーリング１４が衝突して脱落を防止することが出来る。
【０００９】
この吹流し取り付け装置の組み立て順序は図１１に示すように円筒管３を旗竿１の先端から挿入し<１>、ストッパーリング14を取り付ける。ストッパーリング１４は円筒管３とキャップ４の固着された状態の長さの端末部から上方側の２０ｍｍから３０ｍｍの位置に、ビス１５で固着させる<２>。キャップ４を旗竿１に被せて<３>、挿入しておいた円筒管３をキャップ4と固着させたら<４>、上部側のサドル7と支持体５の上部側のボルト穴１３を重ねてボルト６で固着させる<５>。吹流し２の吹流し口の袋部に上部側のサドル7に取り付けられた支持体５を差し込む<６>。下部側のサドル７と支持体５をボルト６で仮締めし<７>、上方にスライドさせながら支持体５で曲線を作る。吹流し口の楕円形が確保出来たら下部側のサドル７と支持体５をボルト６で固着させる<８>。
【実施例２】
【００１０】
又、旗竿が円筒管から抜けることを防止する他の離脱防止手段としては、図１２に示すように旗竿の上端部から円筒管３−１の長さに相当する部分を細く加工した、旗竿１−１を用いる<１>。旗竿１−１に円筒管３−１を挿入する。円筒管３−１は旗竿１−１の外面と円筒管３−１の内面との間に出来る隙間により自在に回転出来る。旗竿１−１が太くなる部分に円筒管３−１の端末部が衝突して、円筒管３−１は下方へ落下しない。又、旗竿１−１の先端部にはオスネジ８−１が施され、キャップ４−１にはメスネジが施されている<２>。オスネジ８−１とメスネジ９−１をネジ付けて固定することにより、旗竿１−１を逆さまにしたときや吹流し２が風で煽られたときなどでも円筒管３−１は脱落しない<３>。さらに、キャップ４−１は雨水の浸入を防ぐ。旗竿１−１と円筒管３−１そしてキャップ４−１はアルミニュウムや合成樹脂又は木製である。この手段は旗竿１−１の加工に手間が掛かるが、旗竿１−１と円筒管３−１の外径が同じ大きさとなるので一体感がありビジュアル的に優れている。
【００１１】
本発明の他の使用方法としては、図５A、Bに示すように支持具５を伸ばしてサドル７に取り付けると吹流し２が矩形の旗状になる。
【００１２】
又、図１０に示すように、図７に示したサドル11に取り替えることで、紐１８で取り付ける矩形の旗１７にも使用出来る。サドル１１は、図６に示したサドル７に紐１８を通すための穴１２を形成してある。
【図面の簡単な説明】
【００１３】
【図１】この発明の実施例となる、外観図である。
【図２】この発明の実施例となる、キャップの側面図である。
【図３】この発明の実施例となる、円筒管の側面図である。
【図４】（A）この発明の実施例となる、吹流しを取り付ける状態にしたときの、吹流し取り付け装置の正面図である。（B）図４Aの側面図である。
【図５】（A）この発明の実施例となる、吹流しを矩形の旗状にして取り付ける状態にしたときの、吹流し取り付け装置の正面図である（B）図５Aの側面図である。
【図６】この発明の実施例となる、吹流し取り付け装置に用いるサドルの斜視図である。
【図７】他の実施例で使用するサドルの斜視図である。
【図８】（A）この発明の実施例となる、ストッパーリングの構成図である。（B）図8AのA―A断面図である。
【図９】この発明の実施例となる、吹流し口支持具の斜視図である。
【図１０】他の実施例の外観図である。
【図１１】この発明の実施例となる、吹流し取り付け装置の組立図である。
【図１２】他の離脱防止手段の組立図である。
【図１３】従来の吹流しの外観図である。
【符号の説明】
【００１４】
１    旗竿
１−１旗竿
２    吹流し
３    円筒管
３−１円筒管
４    キャップ
４−１キャップ
５    吹流し口支持具
６    吹流し口支持具及びサドル固定用ボルト
７    吹流し口支持具取り付け用サドル
８    オスネジ
８−１オスネジ
９    メスネジ
９−１メスネジ
１０  吹流し口支持具及びサドル固定用ボルト穴
１１  紐取り付け用サドル
１２  紐通し穴
１３  吹流し支持具固定用ボルト穴
１４  ストッパーリング
１５  ストッパーリング固定ネジ
１６  離脱防止片
１７  紐で取り付ける矩形の旗
１８  紐
１９  従来の吹流し
２０  紐
【図１】
2005165310.tif 000003
【図２】
2005165310.tif 000004
【図３】
2005165310.tif 000005
【図４】
2005165310.tif 000006
【図５】
2005165310.tif 000007
【図６】
2005165310.tif 000008
【図７】
2005165310.tif 000009
【図８】
2005165310.tif 000010
【図９】
2005165310.tif 000011
【図１０】
2005165310.tif 000012
【図１１】
2005165310.tif 000013
【図１２】
2005165310.tif 000014
【図１３】
2005165310.tif 000015